【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
超音波信号あるいは高周波信号あるいは光信号を利用した検知システムにおいて、
任意の変調信号により変調された超音波信号あるいは高周波信号あるいは光信号を単一あるいは複数のアンテナあるいは送受波器から連続あるいはバースト状に発信するための発信手段と、当該発信手段から発信された超音波信号あるいは高周波信号あるいは光信号を単一あるいは複数のアンテナあるいは送受波器により受信するための受信手段から構成され、
当該変調信号が少なくとも当該発信手段を識別するための識別用信号と測定のための測定用信号から構成されおよび／あるいは当該測定用信号の一部あるいは全部が無変調の搬送波信号あるいは副搬送波信号で代替されており、
当該発信手段あるいは受信手段あるいはこれらの両方が複数のアンテナあるいは送受波器を周期的に切替えおよび／あるいは任意の組み合わせに変えるための切替合成器を有し、
当該受信手段が入力信号を直接増幅しあるいは少なくとも副搬送波信号あるいは中間周波信号あるいはベースバンド信号に変換するために必要な数の受信機と当該受信機の出力信号を基準発振器に同期してデジタル信号に変換し当該受信機の出力信号からタイミングあるいは振幅あるいは周波数あるいは位相あるいはこれらの組み合わせをリアルタイムで検出するための信号検出器を有し、
当該信号検出器において当該識別用信号を検出して当該発信手段を識別し当該複数のアンテナあるいは送受波器を切替えおよび／あるいは必要な組み合わせ毎にリアルタイムで検出された検出結果から少なくとも当該発信手段が位置する方向および／あるいは当該受信手段が向かっている方向を検知することを特徴とするアクテイブタグ装置
【請求項２】
超音波信号あるいは高周波信号あるいは光信号を利用した検知システムにおいて、
スペクトル拡散符号により拡散された超音波信号あるいは高周波信号あるいは光信号を単一あるいは複数のアンテナあるいは送受波器から連続あるいはバースト状に発信するための発信手段と、当該発信手段から発信された超音波信号あるいは高周波信号あるいは光信号を単一あるいは複数のアンテナあるいは送受波器により受信するための受信手段から構成され、
当該スペクトル拡散符号が少なくとも短時間に同期を確立するための短周期の符号系列と測定を行なうための比較的に長周期の符号系列あるいは短周期の符号系列の繰返しから構成されおよび／あるいは当該測定用信号の一部あるいは全部が無変調の搬送波信号あるいは副搬送波信号で代替されており、
当該発信手段あるいは受信手段あるいはこれらの両方が複数のアンテナあるいは送受波器を周期的に切替えおよび／あるいは任意の組み合わせに変えるための切替合成器を有し、
当該受信手段が入力信号を直接増幅しあるいは少なくとも副搬送波信号あるいは中間周波信号あるいはベースバンド信号に変換するために必要な数の受信機と当該受信機の出力信号を当該受信手段の基準発振器に同期してデジタル信号に変換した後に当該受信手段において固定して準備されあるいは当該受信手段の基準発振器に同期して生成されるスペクトル拡散符号との間で相関をとるための相関器あるいは当該受信手段において固定して準備されあるいは当該受信手段の基準発振器に同期して生成されるスペクトル拡散符号との間で相関をとった後に当該受信手段に同期してデジタル信号に変換するための相関器と当該相関器の出力信号からタイミングあるいは振幅あるいは周波数あるいは位相あるいはこれらの組み合わせをリアルタイムで検出するための信号検出器を有し、
当該発信手段から発信される拡散符号と当該信号検出器において固定して準備しあるいは基準発振器と同期して生成される拡散符号との同期を検出しあるいは同期を確立し当該相関器の出力信号に含まれる識別用信号を検出して当該発信手段を識別し当該複数のアンテナあるいは送受波器を切替えおよび／あるいは必要な組み合わせ毎にリアルタイムで検出された検出結果から少なくとも当該発信手段が位置する方向および／あるいは当該受信手段が向かっている方向を検知することを特徴とするアクテイブタグ装置
【請求項３】
超音波信号あるいは高周波信号あるいは光信号を利用した検知システムにおいて、
超音波信号あるいは高周波信号あるいは光信号を単一あるいは複数のアンテナあるいは送受波器から連続あるいはバースト状に発信するための発信手段と、当該発信手段から発信された超音波信号あるいは高周波信号あるいは光信号を受信して直接あるいは必要な変換および／あるいは必要な変調を行って単一あるいは複数のアンテナあるいは送受波器により再発信するための中継手段と、当該中継手段から再発信された超音波信号あるいは高周波信号あるいは光信号を単一あるいは複数のアンテナあるいは送受波器により受信するための受信手段から構成され、
当該中継手段において直接あるいは必要な変換および／あるいは必要な変調を行なって再発信される超音波信号あるいは高周波信号あるいは光信号が少なくとも当該中継手段を識別するための識別用信号と測定のための測定用信号から構成されおよび／あるいは当該測定用信号の一部あるいは全部が無変調の搬送波信号あるいは副搬送波信号で代替されており、
当該中継手段あるいは受信手段あるいはこれらの両方が複数のアンテナあるいは送受波器を周期的に切替えあるいは任意の組み合わせに変えるための切替合成器を有し、
当該受信手段が入力信号を直接増幅しあるいは少なくとも副搬送波信号あるいは中間周波信号あるいはベースバンド信号に変換するために必要な数の受信機あるいは当該切替合成器からの出力信号と当該発信手段で発信した超音波信号あるいは高周波信号あるいは光信号とを直接ミキシングしてビート周波数を検出するために必要な数の受信機と当該受信機の出力信号を当該受信手段の基準発振器に同期してデジタル信号に変換し当該受信機の出力信号からタイミングあるいは振幅あるいは周波数あるいは位相あるいはこれらの組み合わせをリアルタイムで検出するための信号検出器を有し、
当該信号検出器において当該識別用信号を検出して当該中継手段を識別し当該複数のアンテナあるいは送受波器を切替えおよび／あるいは必要な組み合わせ毎にリアルタイムで検出された当該検出結果から少なくとも当該中継手段が位置する方向および／あるいは当該受信手段が向かっている方向を検知することを特徴とするアクテイブタグ装置
【請求項４】
超音波信号あるいは高周波信号あるいは光信号を利用した検知システムにおいて、
超音波信号あるいは高周波信号あるいは光信号を単一あるいは複数のアンテナあるいは送受波器から連続あるいはバースト状に発信するための発信手段と、当該発信手段から発信された超音波信号あるいは高周波信号あるいは光信号を受信して必要な変換および／あるいは必要なスペクトル拡散符号を生成して拡散を行い単一あるいは複数のアンテナあるいは送受波器により再発信するための中継手段と当該中継手段から再発信された超音波信号あるいは高周波信号あるいは光信号を単一あるいは複数のアンテナあるいは送受波器により受信するための受信手段から構成され、
当該中継手段において生成されるスペクトル拡散符号が少なくとも短時間に同期を確立するための短周期の符号系列と測定を行なうための比較的に長周期の符号系列あるいは短周期の符号系列で複数回の繰返しから構成されおよび／あるいは当該測定用信号の一部あるいは全部が無変調の搬送波信号あるいは副搬送波信号で代替されており、
当該中継手段あるいは受信手段あるいはこれらの両方が複数のアンテナあるいは送受波器を周期的に切替えおよび／あるいは任意の組み合わせに変えるための切替合成器を有し、
当該受信手段が入力信号を増幅しあるいは少なくとも副搬送波信号あるいは中間周波信号あるいはベースバンド信号に変換するために必要な数の受信機と当該受信機の出力信号を当該受信手段の基準発振器に同期してデジタル信号に変換した後に当該受信手段において固定して準備されあるいは当該受信手段の基準発振器に同期して生成したスペクトル拡散符号との間で相関をとるための相関器あるいは当該受信手段において固定して準備されあるいは当該受信手段の基準発振器に同期して生成されるスペクトル拡散符号との間で相関をとった後に当該受信手段の基準発振器に同期してデジタル信号に変換するための相関器と当該受信機の出力信号からタイミングあるいは振幅あるいは周波数あるいは位相あるいはこれらの組み合わせをリアルタイムで検出するための信号検出器を有し、
当該中継手段で生成される拡散符号と当該信号検出器において固定して準備しあるいは基準発振器と同期して生成される拡散符号との同期を検出しあるいは同期を確立し当該相関器の出力信号に含まれる識別用信号を検出して当該中継手段を識別し当該複数のアンテナあるいは送受波器を切替えおよび／あるいは必要な組み合わせ毎にリアルタイムで検出された検出結果から少なくとも当該発信手段が位置する方向および／あるいは当該受信手段が向かっている方向を検知することを特徴とするアクテイブタグ装置
【請求項５】
当該発信手段および／あるいは中継手段において同期しおよび／あるいは直交する複数の搬送波信号あるいは複数の副搬送波信号あるいは複数の変調信号あるいは複数の拡散符号あるいはこれらの組み合わせにより構成される超音波信号あるいは高周波信号あるいは光信号を同時あるいは交互に発信しあるいは直交周波数分割多重化して発信しあるいはホッピングして発信しあるいは任意の変調信号によりチャープ変調しあるいは振幅変調しあるいは単側帯波変調しあるいは両側帯波変調して発信しあるいはこれを組み合わせて発信し当該受信手段において当該発信手段が位置する方向および／あるいは当該受信手段が向かっている方向を検知するとともに当該発信手段あるいは中継手段から当該受信手段までの距離を検知することを特徴とする請求項第１項から第４項に記載のアクテイブタグ装置
【請求項６】
当該発信手段および／あるいは中継手段において同期しおよび／あるいは直交する複数のスペクトル拡散符号により直接拡散されあるいは周波数ホッピングされあるいは時間ホッピングされあるいはチャープ変調されあるいは直交周波数分割多重化されあるいはこれらが組み合わされた超音波信号あるいは高周波信号あるいは光信号を同時あるいは交互に発信し当該受信手段において当該発信手段が位置する方向および／あるいは当該受信手段が向かっている方向を検知するとともに当該発信手段あるいは中継手段から当該受信手段までの距離を検知することを特徴とする請求項第１項から第５項までに記載のアクテイブタグ装置
【請求項７】
当該発信手段あるいは中継手段において複数のアンテナあるいは送受波器を切替えあるいは組み合わせを変えながら発信し当該受信手段において任意の数のアンテナあるいは送受波器を用いて受信することによって当該発信手段あるいは中継手段の複数のアンテナあるいは送受波器を結ぶ線と垂直な線の方向あるいは高さあるいは深さあるいはこれらの組み合わせを検知することを特徴とする請求項第１項から第６項に記載のアクテイブタグ装置
【請求項８】
当該発信手段あるいは中継手段においてスペクトル拡散符号が連続して発信される場合には当該スペクトル拡散符号１周期分が繰返し生成されあるいはバースト状に発信される場合には少なくとも当該スペクトル拡散符号１周期分で構成され当該受信手段において固定して準備されるスペクトル拡散符号１周期分との相関をとるための相関器あるいは当該受信手段において基準発振器に同期して生成されるスペクトル拡散符号１周期分との相関をとるための相関器が設けられることを特徴とする請求項第１項から第７項に記載のアクテイブタグ装置
【請求項９】
当該発信手段において超音波信号あるいは高周波信号あるいは光信号を連続あるいはバースト状に発信し複数の中継手段において各々異なるスペクトル拡散符号によって拡散して再発信し当該受信手段において受信した超音波信号あるいは高周波信号あるいは光信号と当該受信手段において固定して準備されあるいは基準発振器と同期して生成した複数のスペクトル拡散符号との間で相関をとることを特徴とする請求項第１項から第８項に記載のアクテイブタグ装置
【請求項１０】
当該信号検出器において当該検出結果を直接処理しあるいは一時蓄積しあるいは任意の割合で加算しあるいは減算しあるいは任意の組み合わせで比較を行いあるいは必要な演算を行いあるいはこれらの組み合わせの結果から少なくとも当該発信手段あるいは中継手段が位置する方向および／あるいは当該受信手段が向かっている方向検知することを特徴とする請求項第１項から第９項に記載のアクテイブタグ装置
【請求項１１】
当該発信手段あるいは中継手段と当該受信手段に複数のアンテナあるいは送受波器が設けられ周期的に切替えられあるいは組み合わせが変えられ当該信号検出器によりタイミングあるいは振幅あるいは周波数あるいは位相あるいはこれらの組み合わせの測定が行われる場合に第一の順番あるいは第一の方向に切替えられあるいは組み合わせが変えられて測定した値と当該第一の順番とは逆の第二の順番あるいは当該第一の方向とは逆の第二の方向に切替えられあるいは組み合わせが変えられて測定された値との差分をとることで当該切替えの順番あるいは切替えの方向に起因する測定誤差を削減することを特徴とする請求項第１項から第１０項に記載のアクテイブタグ装置
【請求項１２】
当該タイミングあるいは振幅あるいは周波数あるいは位相あるいはこれらの組み合わせをリアルタイムで検出するために分解能に応じて必要な数の高速で動作する高周波論理回路を設け当該高周波論理回路を用いて積和演算を行いあるいは高速フーリエ変換を行いあるいは当該デジタル信号から振幅スペクトルあるいは位相スペクトルあるいはこれらの両方を検出しあるいは任意の期間の平均をとりあるいは窓関数を設けて演算を行いあるいは任意のサンプリング数毎あるいは任意のサンプリング周波数毎に検出した結果を時系列にならべあるいはタイムスタンプを付して出力しあるいはこれらを組み合わせることを特徴とする請求項第１項から第１１項に記載のアクテイブタグ装置
【請求項１３】
当該受信機の出力信号を基準発振器に同期したサンプリング周波数で変換したデジタル信号を多段のシフトレジスタに蓄積し当該シフトレジスタから当該サンプリング周波数の整数倍あるいは整数分の１に同期した信号成分の少なくとも１サイクル分を単位として１組あるいは複数組を選択しあるいは当該受信機の出力信号を複数種類の異なるサンプリング周波数でデジタル信号に変換し当該サンプリング周波数毎に設けた複数のシフトレジスタに蓄積し当該サンプリング周波数に同期した信号成分の少なくとも１サイクル分を単位として１組あるいは複数組を選択し当該組毎のデジタル信号を基本単位とし当該デジタル信号とＳｉｎおよびＣｏｓの簡易なルックアップテーブルとの積和演算を行いあるいは高速フーリエ変換を行なって必要な分解能を確保しながら当該受信機の出力信号のタイミングあるいは振幅あるいは周波数あるいは位相あるいはこれらの組み合わせをリアルタイムで検出することを特徴とする請求項第１項から第１２項に記載のアクテイブタグ装置
【請求項１４】
当該タイミングあるいは振幅あるいは周波数あるいは位相あるいはこれらの組み合わせをリアルタイムで検出するために用いるＳｉｎの簡易なルックアップテーブルが０、１、０、−１、あるいは１、１、−１、−１、あるいはこれらの整数倍あるいは整数分の１の繰り返しでありあるいはＣｏｓのルックアップテーブルが１、０、−１、０あるいは１、−１、−１、１、あるいはこれらの整数倍あるいは整数分の１の繰り返しでありあるいは積和演算を行なう際の−１の乗算は当該デジタル信号の補数を求めあるいはこれらの組み合わせであることを特徴とする請求項第１項から第１３項に記載のアクテイブタグ装置
【請求項１５】
当該受信手段においてスペクトル拡散された超音波信号あるいは高周波信号あるいは光信号を直接増幅しあるいは副搬送波信号あるいは中間周波信号あるいはベースバンド信号への変換を行った後にＮ乗あるいはＮ逓倍を行ってキャリアをリカバリーし当該リカバリーしたキャリアからタイミングあるいは振幅あるいは周波数あるいは位相あるいはこれらの組み合わせを検出することを特徴とする請求項第１項から第１４項に記載のアクテイブタグ装置
【請求項１６】
当該発信手段から発信される超音波信号あるいは高周波信号あるいは光信号と当該中継装置で再発信され当該受信手段が受信する超音波信号あるいは高周波信号あるいは光信号とをミキシングしあるいはビートをとり基準発振器に同期したサンプリング周波数でデジタル信号に変換してシフトレジスタに蓄積し当該シフトレジスタの任意のタップ間隔を選択しあるいは任意のタップを組み合わせてサンプリング周波数の異なる複数組のデジタル信号を生成しあるいは当該ミキサーあるいは相関器の出力信号をサンプリング周波数の異なる複数組のデジタル信号に変換し当該複数組のデジタル信号毎に該当するサンプリング周波数を用いて積和演算しあるいは高速フーリエ変換しあるいは必要な演算を行なうことで振幅スペクトルおよび／あるいは位相スペクトルをリアルタイムで検出することを特徴とする請求項第１項から第１５項に記載したアクテイブタグ装置
【請求項１７】
当該発信手段あるいは中継手段あるいは受信手段の複数のアンテナあるいは送受波器が前後方向あるいは左右方向あるいは上下方向あるいは対称方向あるいはこれらの組み合わせの方向に搬送波信号あるいは副搬送波信号あるいはベースバンド信号あるいは拡散符号の１波長程度以下あるいは１チップ程度以下の間隔で配置されあるいは当該複数のアンテナあるいは送受波器の間隔が使用時に伸張できる構造でありあるいは当該複数のアンテナあるいは送受波器が収納できる構造でありあるいはこれらの組み合わせであることを特徴とする請求項第１項から第１６項に記載のアクテイブタグ装置
【請求項１８】
当該発信手段あるいは中継手段側のアンテナあるいは送受波器の指向性ビームが比較的に狭く当該受信手段側のアンテナあるいは送受波器の指向性ビームが比較的に広くあるいは発信時には当該指向性のビームを絞り受信時には当該指向性ビームを広くすることで当該発信手段あるいは中継手段を容易に補足できしかもマルチパスの影響を受けにくくすることを特徴とする請求項第１項から第１７項に記載のアクテイブタグ装置
【請求項１９】
当該受信手段に複数のアンテナあるいは送受波器が少なくとも２組接続され移動体の幅の間隔で進行方向あるいは後方向の両側に１組づつ設置されあるいは歩行者の両肩あるいは両胸あるいは左右方向あるいは上下方向に任意の間隔を隔てて１組づつ装着されることを特徴とする請求項第１項から第１８項に記載のアクテイブタグ装置
【請求項２０】
当該受信手段および／あるいは発信手段に複数のアンテナあるいは送受波器が複数組接続され各組が間隔を隔てて配置され当該各アンテナあるいは送受波器に対応してタイミングあるいは振幅あるいは周波数あるいは位相あるいはこれらの組み合わせをリアルタイムで検出し当該検出結果から当該受信手段および／あるいは発信手段の位置を検知することを特徴とする請求項第１項から第１９項までに記載のアクテイブタグ装置
【請求項２１】
移動体が安全に移動できあるいは移動を許されるエリアの中央線上あるいは両端あるいは２点間あるいは周辺部に複数の発信手段あるいは中継手段が設置され移動体が携帯する受信手段が位置する方向および／あるいは当該受信手段が向かっている方向を検知することによって当該移動体が当該エリアを逸脱しないように支援しあるいは誘導することを特徴とする請求項第１項から第２０項に記載したアクテイブタグ装置
【請求項２２】
当該発信手段あるいは中継手段が車道あるいは車道の走行車線に沿って設置されあるいは交通信号に連動して設置され当該受信手段を搭載した車両が当該発信手段あるいは中継手段が設置された方向あるいは距離あるいはこれらの両方を検知し当該発信手段から発信される報知情報を検出することによって当該車両の運行を制御しあるいは走行状態を確認しあるいは運転者に対して警報を発することを特徴とする請求項第１項から第２１項に記載したアクテイブタグ装置
【請求項２３】
当該受信手段の複数のアンテナあるいは送受波器が一方向に対して指向性を有し当該指向性のビームの方向が歩行者の進行方向に向くように杖の一部あるいは取っ手部分あるいは懐中電灯あるいはヘッドライトあるいはめがねあるいはヘッドランプあるいは肩あるいは胸のポケットあるいは腰ベルトあるいはこれらの組み合わせで設けられ当該発信手段あるいは中継手段から見た方向を検知しおよび／あるいは当該歩行者が向かっている方向を検知することを特徴とする請求項第１項から第２２項に記載のアクテイブタグ装置
【請求項２４】
当該発信手段あるいは中継手段から発信される超音波信号あるいは高周波信号あるいは光信号に当該複数のアンテナあるいは送受波器の設置場所と指向性ビームの方向に関する情報が含まれており当該情報をもとに移動体の移動方向に必要な発信手段あるいは中継手段を選択しあるいは誘導を受けあるいは移動を制御することを特徴とする請求項第１項から第２３項に記載したアクテイブタグ装置
【請求項２５】
当該発信手段あるいは中継手段のアンテナが複数の放射素子を持つ漏洩ケーブルでありあるいは指向性が当該ケーブルに対して垂直方向でありあるいは偏波面が円偏波であり、当該ケーブルが特定の場所あるいは経路あるいは範囲あるいはエリアを囲いあるいは区分するように設置され、当該受信手段が当該ケーブルの方向あるいは当該ケーブルまでの距離を検知することによって当該囲いあるいは区分の内側に居るかあるいは外側に居ることを検知することを特徴とする請求項第１項から第２４項に記載したアクテイブタグ装置
【請求項２６】
当該発信手段あるいは中継手段が特定の地点あるいは場所あるいは経路あるいは範囲あるいはエリアの特性に関する情報あるいは必要なサービス情報を発信することを特徴とする請求項第１項から第２５項に記載したアクテイブタグ装置
【請求項２７】
当該受信手段に内蔵した無線送信機から送信される発信要求信号を当該発信手段あるいは中継手段に内蔵した無線受信機が受信し当該発信手段あるいは中継手段からの発信を起動することを特徴とする請求項第１項から第２６項に記載したアクテイブタグ装置
【請求項２８】
当該受信手段が比較的に大入力時でも飽和を起こさない個所あるいは利得調整器の出力側に当該受信手段において生成する拡散符号との相関をとるための相関器を設け過度な飽和を避け受信入力のダイナミックレンジを拡大することを特徴とする請求項第１項から第２７項に記載したアクテイブタグ装置
【請求項２９】
当該受信手段が地磁気センサーあるいは加速度センサーあるいは重力センサーあるいはＧＰＳ受信機あるいはこれらの組み合わせを搭載して当該受信手段の方向および／あるいは位置の検知結果を補完しあるいは補正することを特徴とする請求項第１項から第２８項に記載したアクテイブタグ装置
【請求項３０】
当該発信手段がＧＰＳ衛星であり当該発信手段から発信された高周波信号の一部あるいは全部が障害物により回折されあるいは反射物により反射されあるいは中継手段により中継されて受信手段に到来し当該受信手段において間隔を隔てて設置した複数のアンテナを用いて当該高周波信号が到来する方向および／あるいは当該障害物あるいは反射物あるいは中継手段からの距離を検知することによって当該ＧＰＳ衛星を利用して検知した受信手段の位置を補正することを特徴とする請求項第１項から第２９項に記載したアクテイブタグ装置
【請求項３１】
当該中継手段がＧＰＳ衛星から発信される高周波信号を受信し周辺のエリア内で電界強度を増加させない範囲で増幅しおよび／あるいは少なくとも周波数あるいは拡散符号を変換して連続的にあるいは間欠的に再発信しあるいは当該中継手段の識別信号を重畳して再発信しあるいは不感地帯に向けあるいはサービスエリアの拡大のために再発信しあるいはこれらの組み合わせであることを特徴とする請求項第１項から第３０項に記載したアクテイブタグ装置
【請求項３２】
複数の受信手段が固定されており、任意の数の固定された発信手段から発信される超音波信号あるいは高周波信号あるいは光信号に急激な変化が生じたことを検知した時には不法侵入者の侵入として警報を発信し、携帯されあるいは移動する適法な発信手段から発信される超音波信号あるいは高周波信号あるいは光信号を受信したときには当該発信手段が位置する方向あるいは位置を検知し進行経路をモニターしあるいは動向をモニターすることを特徴とする請求項第１項から第３１項に記載したアクテイブタグ装置
【請求項３３】
当該発信手段の少なくともアンテナあるいは送受波器が交通信号器あるいは交通表示板あるいは街路灯あるいは看板あるいは交通規制に関する装置あるいは器具の内部に組込まれ当該装置あるいは器具の後部の収納ケースが反射板の役割を果たし前部部分が収束レンズあるいはレドームの役割を果たすことを特徴とする請求項第１項から第３２項に記載したアクテイブタグ装置
【請求項３４】
当該発信手段が複数のワイヤレスマイクあるいは無線機であり当該複数のワイヤレスマイクあるいは無線機の内から動作中のチャンネル毎に特定のワイヤレスマイクあるいは無線機が位置する方向および／あるいは距離を検知し当該検知結果から動作させるべき拡声器を選択しおよび／あるいは拡声する音量を制御して立体効果を持たせあるいは所在を突き止めることを特徴とする請求項第１項から第３３項に記載したアクテイブタグ装置
【請求項３５】
当該発信手段あるいは受信手段の何れか一方あるいはこれらの両方が衛星を含む飛行体に搭載されあるいは地上の移動体に装備されあるいは携帯され当該受信手段において当該発信手段との高低方向あるいは左右方向の相対的な角度あるいは角度と距離あるいはこれらの組み合わせを検知することを特徴とする請求項第１項から第３４項に記載したアクテイブタグ装置
【請求項３６】
当該中継手段において当該中継手段を識別するための識別符号あるいは拡散符号あるいは変調信号あるいはこれらの組み合わせにより多重拡散を行いあるいは多重変調しあるいは多重波として再発信を行いあるいは当該中継手段の受信側に帯域を制限するためのフイルタを挿入しあるいはこれらの両方を行なうことを特徴とする請求項第１項から第３４項に記載したアクテイブタグ装置
【請求項３７】
当該中継手段が移動体に搭載されあるいは移動体により携帯され当該発信手段と受信手段により当該移動体の位置あるいは位置する方向あるいは相対的な速度を測定することを特徴とする請求項第１項から第３６項に記載したアクテイブタグ装置
【請求項３８】
当該受信手段が複数個所に距離をおいて設置され通信回線を介して相互間が接続されており移動体に装備されあるいは携帯された発信手段が位置する方向を検知した結果を当該通信回線を介して中央装置に伝送し当該中央装置において当該発信手段の位置を表示することを特徴とする請求項第１項から第３７項に記載したアクテイブタグ装置
【請求項３９】
当該発信手段あるいは中継手段が太陽電池および蓄電用コンデンサとの一体構造であり全体が防水筐体あるいは耐衝撃性の筐体に収納され、道路の表面あるいは歩道の表面あるいは屋外に露出される個所に設置されるのに耐える構造であり主として太陽光あるいは人工の照明光からエネルギーを受けて動作することを特徴とする請求項第１項から第３８項に記載したアクテイブタグ装置
【請求項４０】
当該発信手段あるいは中継手段あるいは受信手段に内蔵されたアンテナが電子レンジの高周波信号を受信し当該受信した高周波信号を整流して電池あるいは蓄電用コンデンサを充電することを特徴とする請求項第１項から第３９項に記載したアクテイブタグ装置
【請求項４１】
当該受信手段に設けられあるいは接続された表示装置あるいは音声装置において当該受信手段を携帯しあるいは装備した移動体が目的とする進行方向を基準としあるいは当該発信手段が位置する方向を基準としあるいは当該受信手段のアンテナあるいは送受波器の指向性ビームが現在向いている方向を基準として当該発信手段が修正すべき方向あるいは角度を矢印により表示しあるいは当該発信手段との距離を矢印の長さにより表示しあるいは音声によりアナウンスすることを特徴とする請求項第１項から第４０項に記載したアクテイブタグ装置
【請求項４２】
当該発信手段あるいは中継手段が衝撃あるいは圧力あるいは特定の事象により起電しあるいは特性を変化させる素子あるいはセンサあるいはこれらの組み合わせにより発信を起動することを特徴とする請求項第１項から第４１項に記載したアクテイブタグ装置
【請求項４３】
当該発信手段あるいは中継手段のアンテナの放射体あるいは地板が円錐形あるいは角形あるいは球形あるいは楕円形でありあるいは地板および放射体の内部に収納する部分を有し当該発信手段あるいは中継手段の回路部品の一部あるいは全部が当該アンテナの放射体あるいは放射体と地板の内部に収納され不要な信号を外部に放射することを抑制することを特徴とする請求項第１項から第４２項に記載したアクテイブタグ装置
【請求項４４】
当該受信手段の複数のアンテナが固定無線局あるいは移動無線局のダイバーシテイアンテナと共用することを特徴とする請求項第１項から第４３項に記載したアクテイブタグ装置
【請求項４５】
当該発信手段あるいは受信手段あるいは中継手段が着脱の容易な構造であり、照明灯あるいは照明器具内あるいはこれらに近接して取り付けられあるいは電力の供給を受け、当該照明器具あるいは設置場所の番号あるいは該当する地点あるいは場所あるいはエリアの特性を示す識別番号を発信することを特徴とする請求項第１項から第４４項に記載したアクテイブタグ装置
【請求項４６】
当該発信手段あるいは中継手段において当該スペクトル拡散符号を直接超音波信号あるいは高周波信号あるいは光信号としてアンテナあるいは送受波器から発信することを特徴とする請求項第１項から第４５項に記載したアクテイブタグ装置
【請求項４７】
当該発信手段あるいは中継手段に接続された複数のアンテナあるいは送受波器の間隔を隔てて設置しあるいは任意の数のアンテナあるいは送受波器が接続された複数の発信手段あるいは中継手段の間隔を隔てて設置し当該複数のアンテナあるいは送受波器あるいは当該複数の発信手段あるいは中継手段に対して少なくとも搬送波周波数あるいは副搬送波周波数あるいは変調信号あるいはスペクトル拡散符号あるいは識別符号あるいはタイミングあるいは主要なパラメータの内の何れか一つを違えて割当てることによって当該超音波信号あるいは高周波信号あるいは光信号を発信することを特徴とする請求項第１項から第４６項に記載したアクテイブタグ装置
【請求項４８】
当該複数のアンテナあるいは送受波器により受信される超音波信号あるいは高周波信号あるいは光信号の位相を制御してアダプテイブに合成することにより希望波の方向に対してはビームを形成し妨害波の方向に対してはヌルを形成し当該位相の制御結果よりあるいは当該位相の制御結果を加味することにより目的とする発信手段あるいは中継手段の位置する方向と距離を検知することを特徴とする請求項第１項から第４７項に記載したアクテイブタグ装置